(57)【要約】【課題】ガーゼ地特有の柔らかい、手触りと風合いのよい特長を十分に活かした、しかも、高品質な柄出しを容易にした多重ガーゼ織物の提供。【解決手段】平行な四面の面組織Ｓ１〜Ｓ４が重なった多重ガーゼ織物１で、各面組織Ｓ１〜Ｓ４はガーゼ地用緯糸３ａ〜３ｄとガーゼ地用経糸４ａ〜４ｄを基本的に平織りした平行なガーゼ地で、各面組織Ｓ１〜Ｓ４で緯糸３ａ〜３ｄは面組織間を浮沈せず一面状に配列され、各面組織Ｓ１〜Ｓ４の経糸４ａ〜４ｄが部分的に面組織間を浮沈して異なる面組織の緯糸３ａ〜３ｄに織り込まれて結合する。複数の面組織Ｓ１〜Ｓ４の夫々は柄有り面組織か柄無しの無地の面組織であり、柄有り面組織は複数組の色の経糸と緯糸の織成で縞柄又は格子柄を有する。【選択図】　　　図３
2004107824.tif 000002
【特許請求の範囲】
【請求項１】
ガーゼ地用緯糸及びガーゼ地用経糸の平織組織で形成された面組織が複数層に積層されてなる多重ガーゼ織物であって、
各面組織における複数の緯糸を、この緯糸の在る面組織と異なる他の面組織に浮沈させることなく一面状に配列すると共に、
各面組織における複数の経糸を、この経糸の在る面組織と異なる他の一面の面組織に対して複数箇所で浮沈させることにより、この他の一面の面組織の緯糸に織り込んで結合させたことを特徴とする多重ガーゼ織物。
【請求項２】
前記各面組織における複数の経糸を、この経糸の在る一面の面組織に直接に重なる他の一面の面組織の緯糸に織り込んで結合させたことを特徴とする請求項１記載の多重ガーゼ織物。
【請求項３】
前記面組織における複数の緯糸に上下から２本一組の経糸を交錯させて平織りしたことを特徴とする請求項１又は２記載の多重ガーゼ織物。
【請求項４】
前記複数の面組織の少なくとも一面の面組織が、複数組の色の緯糸と経糸で柄を織成した柄有り面組織であることを特徴とする請求項１〜３のいずれかに記載の多重ガーゼ織物。
【請求項５】
前記柄有り面組織に直接に重なる他の一面の面組織が、複数組の色の緯糸と経糸で柄を織成した柄有り面組織であり、かつ、この互いに重なる二面の柄有り面組織の柄が形状、色彩共に同一で、二面の柄有り面組織の重なりで柄同士を合致させたことを特徴とする請求項４記載の多重ガーゼ織物。
【請求項６】
前記柄有り面組織が縞柄及び／又は格子柄の柄有り面組織であることを特徴する請求項４又は５記載の多重ガーゼ織物。
【請求項７】
前記複数の面組織が、柄有り面組織と無地の柄無し面組織を含むことを特徴とする請求項４〜６のいずれかに記載の多重ガーゼ織物。
【発明の詳細な説明】
【０００１】
【発明の属する技術分野】
本発明は、複数のガーゼ地が重なるように織成された多重ガーゼ織物に関する。
【０００２】
【従来の技術】
天然植物繊維の経糸と緯糸を粗く織った薄手のガーゼ地は、柔らかくて吸湿性に優れることから衛生材料や肌着などに使用されている。また、複数枚のガーゼ地を重ねた多重構造のガーゼ織物は、タオル地だけのタオル織物や、タオル地とガーゼ地を重ねた二重タオル織物よりも嵩張らず、吸湿性や手触りと風合いに優れることから、汗拭き用タオルやハンカチ（ミニハンカチ）、ベビー用品などに賞用されている。
【０００３】
タオル地とガーゼ地を重ねた二重タオル織物や、薄手のガーゼ地を２枚、３枚と重ねて部分的に縫合した多重ガーゼ織物の多くは、織物の商品価値を高めるためにプリント柄を形成したり、ガーゼ地の経糸と緯糸に色糸を使用して柄を織成している（例えば、特許文献１）。
【０００４】
なお、上記特許文献１は二重タオル織物に関するもので、タオル地とガーゼ地を同時に織成するときに、ガーゼ地にガーゼ地用経糸と緯糸で格子柄（チェック柄）を織成する内容が開示されている。
【０００５】
【特許文献１】
特開平１１−３５０３００号公報（第０００３段、図５、図６）
【０００６】
【発明が解決しようとする課題】
複数のガーゼ地を重ねて部分的に縫合した多重ガーゼ織物は、ガーゼ地同士を重ねて部分的に縫合しているため、多数の縫合箇所がガーゼ地特有の柔らかさ、手触りと風合いのよさを損なう。また、複数枚のガーゼ地同士を皺を作らず高品質に縫合することが難しく、縫合時にできる皺が多重ガーゼ織物の品質を低下させることがある。さらに、多重ガーゼ織物にプリントする柄（紋様）は様々な形状、色彩のものが任意に選択できるが、経糸と緯糸を粗く織ったガーゼ地のプリント柄は目が粗くて意匠性に欠ける。また、多重ガーゼ織物にプリント柄を形成するためのプリント工程やプリント設備が必要で、多重ガーゼ織物の生産性改善や設備費低減を難しくしていた。
【０００７】
また、上記二重タオル織物の場合、タオル地とガーゼ地の織成時に同時進行させてガーゼ地に柄を織成できるため、柄出しのための特別な工程や設備が不要になる有利さがある。しかし、ガーゼ地に嵩張るタオル地を重ねるため、ガーゼ地より厚くて密に織ったタオル地が、薄く粗く織ったガーゼ地の吸湿性、風合いのよさを損うことがある。また、タオル地とガーゼ地の二重タオル織物は、使用者にタオル地が表面側でガーゼ地が裏面側として認識されることが通常で、柄有りガーゼ地の格子柄などがあまり目立たず、ガーゼ地の柄で商品の付加価値を上げることが難しい。
【０００８】
なお、特許文献１の二重タオル織物は、ガーゼ地の柄が単純で高級感がないという理由で、ガーゼ地とタオル地を部分的に相手側に浮沈させて多彩な紋様をジャガード織で織成したものであるが、このようなタオル織物は織成が複雑で高級、高価な織物となる。
【０００９】
本発明の目的は、ガーゼ地特有の柔らかい、手触りと風合いがよい、吸湿性に優れるといった特長を明確にした、しかも、高品質な柄出しを容易にした多重ガーゼ織物を提供することにある。
【００１０】
【課題を解決するための手段】
本発明の上記目的を達成する技術的手段は、ガーゼ地用緯糸及びガーゼ地用経糸の平織組織で形成された面組織が複数層に積層されてなる多重ガーゼ織物であって、各面組織における複数の緯糸を、この緯糸の在る面組織と異なる他の面組織に浮沈させることなく一面状に配列すると共に、各面組織における複数の経糸を、この経糸の在る面組織と異なる他の一面の面組織に対して複数箇所で浮沈させることにより、この他の一面の面組織の緯糸に織り込んで結合させたことを特徴とする。
【００１１】
ここで、複数の面組織の各々は薄手のガーゼ地組織で、この複数の各ガーゼ地組織の緯糸がガーゼ地間で浮沈すること無く存在して、各ガーゼ地の経糸だけがガーゼ地間を浮沈して１枚の多重ガーゼ織物が織成される。ガーゼ地で構成される面組織の数は六〜八面程度までが実用範囲で、八面を超えると嵩張ってガーゼ地特有の柔らかさや風合いのよさが損なわれる。
【００１２】
また、本発明においては、各面組織の経糸の各面組織間の浮沈を、互いに直接に重なる二面の面組織の間だけで行うことことができる。或いは、各面組織の経糸の異なる面組織への浮沈を、一面越しや二面越しなどと一部の面組織を通り越して行うようにしてもよい。この経糸の面組織間の浮沈を、直接に重なる二面の面組織間で行うようにした場合は、経糸の１回の浮沈距離を短くすることができて、経糸と緯糸の織成が簡単になる。
【００１３】
また、本発明においては、全ての面組織における複数の緯糸に上下から２本一組の経糸を交錯させて平織りすることができる。つまり、各面組織の緯糸は他の面組織に浮沈せずに一面を組成し、この緯糸に上下から２本一組の経糸を交錯させることで、各面組織のガーゼ地が乱れることなく良好に織成される。また、緯糸に上下から交錯する２本の経糸のそれぞれを他の面組織の緯糸に織り込ませるようにして、重なる面組織同士の結合をより良好なものにする。
【００１４】
また、本発明においては、複数の面組織の内の少なくとも一面の面組織を、複数組の色の緯糸と経糸で柄を形成した柄有り面組織とすることができる。
【００１５】
さらに、この柄有り面組織に直接に重なる他の一面の面組織も同じ柄を織成した柄有り面組織にして、この互いに重なる二面の柄有り面組織の柄同士を合致させることができる。このように二面の柄有り面組織の柄を合致させることで、多重ガーゼ織物としての柄が鮮明にして立体的に見えるようになる。また、互いに重なる二面の柄有り面組織に、さらに、別の一面又は数面の柄有り面組織を重ねて、三面以上連続して重なる複数面の各柄有り面組織の柄を合致させるようにしてもよい。
【００１６】
また、本発明においては、柄有り面組織の柄が縞柄か格子柄、或いは、縞柄と格子柄を組み合わせたものが、ガーゼ地の意匠性を高め、ガーゼ織物の織成を容易にする上で望ましい。
【００１７】
また、柄有り面組織は、複数の面組織の全てとすることができる。或いは、複数の面組織のうちの一面又は数面が柄有り面組織で、他の残りが柄無し面組織とすることができる。さらに、複数全ての面組織を柄無し面組織にしてもよい。このような柄無し面組織は、経糸と緯糸が同色の無地の面組織が望ましい。
【００１８】
なお、複数の面組織が柄有り面組織と柄無し面組織を含む場合、柄無し面組織は柄有り面組織の柄の意匠性を高める無地のものが望ましい。また、全ての面組織を柄有り面組織とした場合、各面組織の柄の形状、色彩を相違させ、薄手のガーゼ地が透けることを利用して、複数種類の柄が重なった状態で立体的に透けて見えるようにすることができる。このようにすることで、今までに無い多様で多彩な柄出しができる。
【００１９】
【発明の実施の形態】
本発明の実施の形態を図１乃至図４を参照して説明する。同図に示される多重ガーゼ織物１は、ハンカチ（ミニハンカチ）に適用したものである。図１は多重ガーゼ織物１を例えば表面Ｍから見た平面図であり、図２は裏面Ｎから見た裏面図である。多重ガーゼ織物１の表面Ｍには、鮮明な格子状の柄２が有り、裏面Ｎには表面側の柄２が透けて見える格子状の透かし柄２’が現れる。
【００２０】
多重ガーゼ織物１の部分的な緯断面の概要を示す図３から分かるように、多重ガーゼ織物１は平行な四面の面組織Ｓ１〜Ｓ４を有する四重ガーゼ織物である。以下、多重ガーゼ織物１を必要に応じて四重ガーゼ織物１と称する。
【００２１】
四面の各面組織Ｓ１〜Ｓ４は、ガーゼ地用緯糸３ａ〜３ｄとガーゼ地用経糸４ａ〜４ｄを基本的に平織りした平行なガーゼ地である。ここで、図３で最上層の面組織Ｓ１を第１面組織Ｓ１とし、最上層から二層目の面組織Ｓ２を第２面組織Ｓ２、最上層から三層目の面組織Ｓ３を第３面組織Ｓ３、最上層から四層目（図３で最下層）の面組織Ｓ４を第４面組織Ｓ４とすると、第１面組織Ｓ１が四重ガーゼ織物１の表面Ｍを成し、第４面組織Ｓ４が裏面Ｎを成す。
【００２２】
四面全ての面組織Ｓ１〜Ｓ４の緯糸３ａ〜３ｄの各々は、自身の在る一面組織だけに複数本が平行にして一面状に配列される。一面組織における複数本の緯糸に、２本一組の経糸が上下に交錯して平織りで織り込まれる。例えば、第１面組織Ｓ１の緯糸３ａには２本一組の経糸４ａ’、４ａ”が上下から交錯して平織りされる。同じように、第２面組織Ｓ２の緯糸３ｂには２本一組の経糸４ｂ’、４ｂ”が上下から交錯して平織りされ、第３面組織Ｓ３の緯糸３ｃには２本一組の経糸４ｃ’、４ｃ”が上下から交錯して平織りされ、第４面組織Ｓ４の緯糸３ｄには２本一組の経糸４ｄ’、４ｄ”が上下から交錯して平織りされる。
【００２３】
そして、四面の各面組織Ｓ１〜Ｓ４の経糸４ａ〜４ｄの離隔した複数箇所が、各経糸４ａ〜４ｄの在る一面組織と異なる面組織の緯糸に織り込まれて、四面の面組織Ｓ１〜Ｓ４が相互に結合される。この面組織同士の結合は、四面の面組織Ｓ１〜Ｓ４を織機で織成する際に行われ、また、面組織同士の結合箇所は平均的に分散した多数点に設定される。
【００２４】
例えば、第１面組織Ｓ１の緯糸３ａに上下から交錯する２本一組の経糸４ａ’、４ａ”は、図３で左端から２本連続する緯糸３ａに交錯してから、一方の経糸４ａ’が第２面組織Ｓ２の１本の緯糸３ｂに織り込まれて、再び第１面組織Ｓ１の緯糸３ａに交錯し、さらに、この経糸４ａ’は第１面組織Ｓ１の緯糸３ａを１１本連続して交錯してから再び第２面組織Ｓ２の緯糸３ｂに交錯する。なお、２本一組の経糸４ａ’、４ａ”は同じ色の糸であり、一方の経糸４ａ’に代えて他方の経糸４ａ”を第２面組織Ｓ２の緯糸３ｂに織り込むようにしてもよいし、両方の経糸４ａ’、４ａ”の互いに離隔した複数箇所を第２面組織Ｓ２の緯糸３ｂに織り込むようにしてもよい。
【００２５】
また、図３において、第２面組織Ｓ２の緯糸３ｂに上下から交錯する２本一組の経糸４ｂ’、４ｂ”の内の一方の経糸４ｂ’は、第３面組織Ｓ３の図３で左端の１本の緯糸３ｃから第２面組織Ｓ２の緯糸３ｂへと交錯を始め、第２面組織Ｓ２の１１本連続した緯糸３ｂと交錯してから再び第３面組織Ｓ３の１本の緯糸３ｃに織り込まれる。他方の経糸４ｂ”は、図３で左端から９本連続する緯糸３ｂに交錯してから、第１面組織Ｓ１の１本の緯糸３ａに織り込まれて、再び第２面組織Ｓ２の緯糸３ｂに交錯する。この経糸４ｂ”は、第１面組織Ｓ１における図３で右端から４本目の緯糸３ａにも織り込まれる。
【００２６】
また、第３面組織Ｓ３の緯糸３ｃに上下から交錯する２本一組の経糸４ｃ’、４ｃ”の内の一方の経糸４ｃ’は、第３面組織Ｓ３の図３で左端から４本連続する緯糸３ｃに交錯してから、第２面組織Ｓ２の１本の緯糸３ｂに織り込まれて、再び第３面組織Ｓ３の緯糸３ｃに交錯し、さらに、４本連続する緯糸３ｃを交錯してから第４面組織Ｓ４の１本の緯糸４ｄに織り込まれて第３面組織Ｓ３に戻る。この経糸４ｃ’は、第４面組織Ｓ４の図３で右端から３本目の緯糸３ｄにも織り込まれる。他方の経糸４ｃ”は、図３においては第３面組織Ｓ３の緯糸３ｃだけに交錯させているが、この経糸４ｃ”も第３面組織Ｓ３と第４面組織の一方或いは両方の緯糸に織り込むようにしてよい。
【００２７】
最下層の第４面組織Ｓ４の緯糸３ｄに上下から交錯する２本一組の経糸４ｄ’、４ｄ”は、　図３で左端の６本連続する緯糸３ｄに交錯してから、一方の経糸４ｄ’が第３面組織Ｓ３の１本の緯糸３ｂに織り込まれて、再び第４面組織Ｓ４の緯糸３ｄに交錯する。この経糸４ｄ’は、第３面組織Ｓ３の図３で右端から６本目の緯糸３ｃにも織り込まれる。なお、図３には示していないが、他方の経糸４ｄ”を第３面組織Ｓ３の緯糸３ｃに織り込むようにしてもよいし、両方の経糸４ｄ’、４ｄ”の互いに離隔した複数箇所を第３面組織Ｓ３の緯糸３ｃに織り込むようにしてもよい。
【００２８】
また、図示しないが第１面組織の経糸を、第２面組織を通り越して第３面組織の緯糸に織り込んでから第１面組織に戻すことや、第２面組織と第３面組織の二面を通り越して第４面組織の緯糸に織り込んでから第１面組織に戻すといった経糸の各面組織間の浮沈も可能である。さらに、図３では、各面組織の経糸を異なる面組織の１本の緯糸に織り込むようにしているが、異なる面組織の２本〜数本の連続する緯糸に織り込むようにしてもよい。
【００２９】
以上のように四面の各面組織Ｓ１〜Ｓ４を部分的に経糸４ａ〜４ｄで結合しながら、１枚の四重ガーゼ織物１を織成する。各面組織Ｓ１〜Ｓ４を相互に結合しながら１枚の織物に織成されるガーゼ織物１は、ガーゼ地仕様の各面組織Ｓ１〜Ｓ４に皺が発生せずに、常に高品質で生産性良く製織できる。また、四面の各面組織Ｓ１〜Ｓ４の部分的に結合される箇所を、平均した距離で分散する多数箇所に設定することで、各面組織Ｓ１〜Ｓ４におけるガーゼ地特有の柔らかさ、手触りと風合い、吸湿性が損なわれること無く残り、４枚のガーゼ地を重ねることにより手触りと風合、吸湿性が倍増した四重ガーゼ織物１が織成される。このような四重ガーゼ織物１は、裁断時などの必要時にどの箇所を鋏で切断しても、切断された箇所の近くに経糸と緯糸の結合箇所が存在して、四面の面組織Ｓ１〜Ｓ２が解れ難くなっており、織物の裁断が容易になる。
【００３０】
次に、図１及び図２に示す四重ガーゼ織物１の表裏両面の柄２、２’について説明する。四面の面組織Ｓ１〜Ｓ４の内の、例えば第１面組織Ｓ１と第２面組織Ｓ２が柄有り面組織であり、残りの第３面組織Ｓ３と第４面組織Ｓ４が柄無しの無地の面組織である。
【００３１】
一方の第１面組織Ｓ１は、複数組の色糸の緯糸３ａと同じく複数組の色糸の経糸４ａとを縦横に織り込んで、色分けした格子状の柄２を織成している。図４の組織図ｓ１は、第１面組織Ｓ１の柄２が交差する部分の組織図で、この組織図ｓ１における黒丸の３ａ−１が例えば黒糸の緯糸であり、白丸の３ａ−２が黒糸を目立たせる色、例えば肌色の緯糸である。多数の黒丸の緯糸３ａ−１が連続的に横方向に並ぶことで横縞柄が形成される。また、組織図ｓ１における空白の４ａ−２が肌色の経糸であり、×印の４ａ−１が黒糸の経糸である。多数の×印の経糸４ａ−１が縦方向に連続的に並ぶことで縦縞柄が形成される。この縦縞柄と横縞柄が交差して格子柄２が形成される。縦縞柄と横縞柄が交差する部分は、黒糸が縦横に交差するため最も黒い柄として現れる。
【００３２】
他方の柄有り第２面組織Ｓ２は、第１面組織Ｓ１の柄２と形状、色彩が同一の柄２を有する。そして、この二面の柄有り面組織Ｓ１、Ｓ２は両者の柄２、２が合致するように織成される。図４に示される組織図ｓ２は、第１面組織Ｓ１の組織図ｓ１のところに重ねられる第２面組織Ｓ２の一部分の組織図である。この組織図ｓ２における黒丸の３ｂ−１が黒糸の緯糸であり、白丸の３ｂ−２が肌色の緯糸であり、空白の４ｂ−２が肌色の経糸であり、×印の４ｂ−１が黒糸の経糸である。この図４の２つ並ぶ両組織図ｓ１、ｓ２から、第１面組織Ｓ１と第２面組織Ｓ２の柄２、２が同一で、互いに合致することが分かる。
【００３３】
また、柄無しの無地の第３面組織Ｓ３と第４面組織Ｓ４は、図４の組織図ｓ３、ｓ４で分かるように、例えば肌色の緯糸３ｃ、３ｄと経糸４ｃ、４ｄで織成される。この肌色無地の面組織Ｓ３、Ｓ４は、第１面組織Ｓ１と第２面組織Ｓ２の柄２、２以外の柄周辺部分と同色で、柄２、２を引き立たせる。
【００３４】
四重ガーゼ織物１の表面Ｍに第１面組織Ｓ１の柄２が現れ、その真下に第２面組織Ｓ２の柄２が合致して重なり、この合致する２つの柄２、２の真下に無地の面組織Ｓ３、Ｓ４が延在する。合致する２つの柄２、２は互いに相手の柄を鮮明なものにし、かつ、上下で重なることで見た目に立体感を与える。また、ガーゼ地が目の粗い織り方されていても、ガーゼ地を４枚重ねて、２枚の柄を同一にして合致させるようにすると、柄が粗くなく緻密に見え、鮮明に見えるようになる。
【００３５】
四重ガーゼ織物１の裏面Ｎには、第２面組織Ｓ２と第１面組織Ｓ１の重なった柄２、２が無地の第４面組織Ｓ４と第３面組織Ｓ３を通すことで薄い透かし柄２’として見える。このような透かし柄２’は、透かしゆえの柔らかい、暖かい印象を見る人に与える。また、四重ガーゼ織物１の表面Ｍが鮮明な柄２であり、裏面Ｎが透かし柄２’であることから、織物の裏・表が柄によって決めることができる。
【００３６】
なお、図示しないが四重ガーゼ織物１の第２面組織Ｓ２と第３面組織Ｓ３を柄有り面組織とし、表裏面を形成する第１面組織１と第４面組織Ｓ４を柄無しの無地の面組織としてもよい。この場合、第２面組織Ｓ２と第３面組織Ｓ３の柄が無地の面組織を通した透かし柄として見える。また、織物の表裏面に同じ透かし柄が見えることで、柄による裏・表が決まらず、裏・表のない織物が得られる。
【００３７】
また、図示しないが四重ガーゼ織物１の第１面組織Ｓ１と第２面組織Ｓ２を縦ストライプの同一の縦縞柄の柄有り面組織にし、第３面組織Ｓ３と第４面組織Ｓ４を横ストライプの同一のを横縞柄の柄有り面組織にしてもよい。この場合、表裏面が共に同じような縞柄となって、裏・表のない織物となる。また、表裏面の縦縞柄と横縞柄の目を粗くすると、縦縞柄の中に裏側の横縞柄が透けて見え、同様に、横縞柄の中に裏側の縦縞柄が透けて見えて、ガーゼ織物１の表裏面の縞柄が実際には立体感のある格子柄に見えるようになる。
【００３８】
また、四重ガーゼ織物１のサイズ、形状は任意であり、経緯糸の太さを変えることも任意であることから、四重ガーゼ織物１はハンカチ以外にカーテンや暖簾、ベビー用品、肌着などの用途も可能であり、このような別用途においてもガーゼ地特有の柔らかさ、手触りと風合い、吸湿性のよさが損なわれず、また、意匠性のよい柄織成できて、各用途に好適なものが提供できる。
【００３９】
【発明の効果】
本発明によれば、複数のガーゼ地仕様の面組織が重なり、面組織間で経糸だけを隣接する他の面組織の緯糸に織り込んで１枚の多重ガーゼ織物を織成した構造としたので、複数の面組織の各々がガーゼ地特有の柔らかさ、手触りと風合い、吸湿性を損なうことなく織成され、かつ、複数のガーゼ地を重ねることで程よい厚みが出てガーゼ地の手触り、風合い、吸湿性が助長されて、ハンカチやタオル、肌着などに好適な多重ガーゼ織物が提供できる。また、複数の面組織を織成するときに同時進行的に各面組織を経糸で結合するようにしたので、既存の一般的な織機を使って織成できると共に、従来のように複数のガーゼ地を織成してから重ねて縫合するといった面倒な工程が省けて、生産性に優れた多重ガーゼ織物が提供できる。
【００４０】
また、複数の各面組織における複数の緯糸に上下から交錯する２本一組の経糸を使い分けて異なる面組織の緯糸に織り込ませることで、面組織間の部分的な結合の形態がより多様に設計できて、面組織同士の結合をより良好なものにすることが可能になる。
【００４１】
また、各面組織を経糸と緯糸を平織りしたガーゼ地にして、少なくとも一面の面組織を色糸の経糸と緯糸で縞柄や格子柄の柄を形成した柄有り面組織とすることで、今までにない商品価値の高い柄有り多重ガーゼ織物が生産性よく製造できる。また、複数の面組織の全て、或いは、一部を柄有り面組織とすることで、透かし柄などの多様で多彩、かつ、立体的な柄が任意に選択できる効果がある。
【００４２】
【図面の簡単な説明】
【図１】本発明に係る多重ガーゼ織物の実施の形態を示す織物表面からの平面図である。
【図２】図１の多重ガーゼ織物の裏面図である。
【図３】図１の多重ガーゼ織物の部分的な緯断面図である。
【図４】図３の多重ガーゼ織物の四面の各面組織の部分的な組織図である。
【符号の説明】
１　　ガーゼ織物
２　　柄
２’　　透かし柄
３ａ〜３ｄ　　緯糸
３ａ−１　　緯糸（柄出し糸）
３ａ−２　　緯糸（無地糸）
４ａ〜４ｄ　　経糸
４ａ’〜４ｄ’　　経糸
４ａ”〜４ｄ”　　経糸
４ａ−１　　経糸（柄出し糸）
４ａ−２　　経糸（無地糸）
Ｓ１〜Ｓ４　　面組織
Ｓ１、Ｓ２　　柄有り面組織
Ｓ３、３４　　柄無し面組織
【図１】
2004107824.tif 000003
【図２】
2004107824.tif 000004
【図３】
2004107824.tif 000005
【図４】
2004107824.tif 000006